(57)【要約】【課題】根管拡大作業中、根管内に薬液或いは洗浄水を効果的に注入することができ、より衛生的に根管拡大作業を行うことができるようにする。【解決手段】根管拡大用インスツルメント１００は、エアー回路１０１と水回路１０２を有し、水回路１０２はヘッド部６０の先端部において開口する放水口６１に連通し、エアー回路１０１はハンドピース５０の外周部において開口し、該ハンドピース５０の外部に着脱自在に装着された薬液タンク８０の一端に連通している。根管拡大用バー７０は、該バー内に液体を供給するための注液ホルダ９０に回転可能に保持され、薬液タンクの放液口８３又はヘッド部の放水口６１にチューブ９１又は９２を通して選択的に連結される。【選択図】図１
2012085682.tif 000002
【特許請求の範囲】
【請求項１】
モータを有する動力部と、該動力部に一体的に連結されるジャンクション部と、該ジャンクション部に着脱自在に連結されるハンドピース部と、該ハンドピース部に一体的に連結されるヘッド部よりなり、該ヘッド部に根管拡大用の歯牙切削バーを着脱自在に装着し、該バーを前記モータにより駆動して根管の拡大を行うようにした根管拡大用インスツルメントにおいて、該インスツルメントは、エアー回路と水回路を有し、該水回路は前記ヘッド部先端部において開口する放水口に連通し、前記エアー回路は前記ハンドピースの外周部において開口し、該ハンドピースの外部に着脱自在に装着される薬液タンクの一端に連通し、前記バーは、該バーを回転自在に保持し、該バー内に液体を供給するための注液ホルダを有し、該注液ホルダは前記ヘッド部の放水口又は前記薬液タンクの他端の放液口に選択的に連結されることを特徴とする根管拡大用インスツルメント。
【請求項２】
前記薬液タンクは、前記一端と他端を仕切るピストンを有し、他端側に前記液体が封入されていることを特徴とする請求項１に記載の根管拡大用インスツルメント。
【請求項３】
前記ヘッド部の放水口と前記注液ホルダとを連結するチューブと、前記薬液タンクの液放出口と前記注液ホルダーとを連結するチューブを有することを特徴とする請求項１又は２に記載の根管拡大用インスツルメント。
【発明の詳細な説明】
【技術分野】
【０００１】
本発明は、根管拡大用インスツルメント、より詳細には、根管拡大作業中に、根管内に洗浄水或いは薬液を効果的に注入可能とし、より衛生的に根管拡大作業を行えるようにした根管拡大用インスツルメントに関する。
【背景技術】
【０００２】
図３は、従来の根管拡大用ハンドピースの一例を説明するための概略全体構成図で、図中、１０は歯科治療ユニット、１００は根管拡大用インスツルメント、２０はこれらユニット１０とインスツルメント１００を連結するホースで、ユニット１０内には加圧エアー源１１、加圧水源１２、開閉弁１３，１４等を有し、これら開閉弁１３，１４がインスツルメント１００に設けられた操作スイッチ等によって選択的に作動され、加圧エアーがチューブ１５を通して、加圧水がチューブ１６を通して供給されるようになっている。
【０００３】
ケーブル２０内には、前記加圧エアーチューブ１５が接続されるエアーチューブ２１、加圧水チューブ１６が接続される水チューブ２２が配設され、更には、インスツルメント１００内のモータを駆動するための電力供給線、インスツルメント１００より開閉弁１３，１４等を制御するリード線２３が配設され、ユニット１０側の電力線、制御線１７に接続されるようになっている。
【０００４】
インスツルメント１００は、動力部（モータ）３０、ジャンクション部４０、ハンドピース部５０、ヘッド部６０よりなり、動力部３０とハンドピース部５０はジャンクション部４０によって着脱自在に装着されるようになっている。インスツルメント１００内には前記加圧エアーチューブ２１が接続されるエアー回路１０１、前記加圧水チューブ２２が接続される水回路１０２を有し、これらエアー回路１０１、水回路１０２は、ハンドピース部５０の先端部に一体的に装着されたヘッド部６０に導かれ、該ヘッド部６０に設けられる放出口６１に連通している。
【０００５】
ヘッド部６０には、根管拡大用の切削具（バー）７０が着脱自在に装着され、該バー７０が動力部３０のモータによって回転される回転軸１０３によって回転され、根管の拡大が行われる。なお、ヘッド部６０は、バー７０を回転する形式のものと、上下方向に移動する形式のものとがあり、術者は、施術に応じていずれかの形式のものを選択し、ハンドピース５０をジャンクション４０に連結して使用する。
【０００６】
術者は、根管拡大作業中、インスツルメント１００に設けられている操作スイッチを操作して、エアー回路１０１に加圧エアーを、水回路１０２に水を供給して、放出口６１よりエアーと水との混合体或いはエアー或いは水を噴射し、根管内を洗浄し或いは冷却する。
【０００７】
上述のごとき従来の根管拡大用インスツルメントにおいては、根管拡大作業中に根管内を洗浄或いは冷却するために、被治療中の歯牙の上方よりエアーと水の混合体をスプレーするようにしているが、根管内には切削バーが挿入されており、根管内に洗浄水（又は冷却水）を十分に送り込むことができなかった。
【発明の概要】
【発明が解決しようとする課題】
【０００８】
本発明は、上述のごとき実情に鑑みてなされたもので、特に、根管拡大作業中に、根管内に根管拡大バー内を通して薬液或いは洗浄水を効果的に供給し、より衛生的に根管拡大作業を行うことができるようにすることを目的としてなされたものである。
【課題を解決するための手段】
【０００９】
上記課題を解決するために、請求項１に記載の発明は、モータを有する動力部と、該動力部に一体的に連結されるジャンクション部と、該ジャンクション部に着脱自在に連結されるハンドピース部と、該ハンドピース部に一体的に連結されるヘッド部よりなり、該ヘッド部に根管拡大用の歯牙切削バーを着脱自在に装着し、該バーを前記モータにより駆動して根管の拡大を行うようにした根管拡大用インスツルメントにおいて、該インスツルメントは、エアー回路と水回路を有し、該水回路は前記ヘッド部先端部において開口する放水口に連通し、前記エアー回路は前記ハンドピースの外周部において開口し、該ハンドピースの外部に着脱自在に装着される薬液タンクの一端に連通し、前記バーは、該バーを回転自在に保持し、該バー内に液体を供給するための注液ホルダを有し、該注液ホルダは前記ヘッド部の放水口又は前記薬液タンクの他端の放液口に選択的に連結されることを特徴としたものである。
【００１０】
請求項２の発明は、請求項１の発明において、前記薬液タンクは、前記一端と他端を仕切るピストンを有し、他端側に前記液体が封入されていることを特徴としたものである。
【００１１】
請求項３の発明は、請求項１又は２の発明において、前記ヘッド部の放水口と前記注液ホルダとを連結するチューブと、前記薬液タンクの液放出口と前記注液ホルダーとを連結するチューブを有することを特徴としたものである。
【発明の効果】
【００１２】
本発明によると、根管拡大作業中、根管内に薬液或いは洗浄水を効果的に注入することができ、より衛生的に根管拡大作業を行うことができる。
【図面の簡単な説明】
【００１３】
【図１】本発明による根管拡大用インスツルメントを説明するための概略全体構成図である。
【図２】根管拡大バーへの給水、給薬の例を説明するための図である。
【図３】従来の根管拡大用ハンドピースの一例を説明するための概略全体構成図である。
【発明を実施するための形態】
【００１４】
図１は、本発明による根管拡大用インスツルメントを説明するための概略全体構成図で、図中、図３に示した従来の根管拡大用インスツルメントと同様の作用をする部分には、図３の場合と同一の参照番号を付してある。而して、本発明においては、インスツルメント１００内における水回路１０２は、図３に示した従来技術と同様、ヘッド部６０の先端部まで導かれ、該ヘッド部先端の放水口６１より放水されるようになっている。
【００１５】
一方、エアー回路１０１は、ハンドピース５０の途中より外部に導き出され、該ハンドピース５０の外部に着脱自在に装着される薬液タンク８０の一端に接続されるようになっている。薬液タンク８０内には、薬液８１が封入されており、該薬液は仕切り用ピストン８２によってエアー供給側と分離されている。従って、エアー回路１０１を通して圧縮エアーが供給されると、ピストン８２によって薬液８１が圧縮され、該薬液はタンク８０の他端側の放液口８３から放出される。
【００１６】
本発明においては、根管拡大バー７０は、図２（Ａ）に示すように、注液ホルダー９０に一体的かつ回転自在に設けられており、該注液ホルダー９０に供給された薬液又は水は該バー７０内に設けられた孔７１に連通する通液口７２を通して該バー７０内に供給され、該バー７０内を通して、該バー７０の下方で根管内に放出されるようになっている。なお、注液ホルダー９０は、前記通液口７２を環状に包囲する凹溝９０ａを有し、該注液ホルダー９０が、図２（Ｂ）に示すように、チューブ９１を通して薬液タンク８０の放液口８３に接続され、或いは、図２（Ｃ）に示すように、選択的に、チューブ９２を通してヘッド部６０の放水口６１に接続された時に、該凹溝９０ａ及び通液口７２を通してバー７０内に供給されるようになっている。
【００１７】
上述のように、本発明によると、根管拡大作業時、術者が、チューブ９１又は９２を用いて、注液ホルダー９０を薬液タンク８０の放液口８３、或いは、ヘッド部の放水口６１に接続することにより、根管内に薬液を注入することができ或いは水を注入することができ、根管内を衛生的に保ちながら、根管拡大作業をすることができる。
【符号の説明】
【００１８】
１００…根管拡大用インスツルメント、１０１…エアー回路、１０２…水回路、７０…根管拡大バー、８０…薬液タンク、９１…薬液供給用チューブ、９２…水供給用チューブ。
【図１】
2012085682.tif 000003
【図２】
2012085682.tif 000004
【図３】
2012085682.tif 000005